(57)【要約】【課題】  販売者側がより多くの消費者に、販売しようとする物に接触する機会を与えることのでき、これにより販売効果を高めることのできる折込み宣伝広告手段を提供する。【解決手段】  フリーペーパーに折込まれ、そのフリーペーパーと同一またはそれより小判である宣伝広告袋であり、扁平に押し潰され、上端に開口部３を有すると共に、左端部４、右端部５および下端部６が襠を形成することなく密閉され、上端部に手持ち用の孔部７を有するポリエチレン製の袋本体２を備える。袋本体２の少なくともおもて面を、動産物や不動産物の表示と、それを販売展示する場所および日時と、袋本体２に特定の品物Ｇを詰め放題できる旨とを記した印刷表示面８とする。【選択図】      図１
0003186541.tif 000002
【実用新案登録請求の範囲】
【請求項１】
フリーペーパー（Ｆ）に折込まれ，該フリーペーパーと同一またはそれより小判である宣伝広告袋であって、扁平に押し潰され，上端に開口部（３）を有すると共に，左端部（４），右端部（５）および下端部（６）が襠を形成することなく密閉され，上端部に手持ち用の孔部（７）を有するポリエチレン製の袋本体（２）を備え、前記袋本体の少なくともおもて面を，少なくとも，動産物または不動産物の表示と，それを販売展示する場所および日時と，前記袋本体に特定の品物（Ｇ）を詰め放題できる旨とを記した印刷表示面（８）としたことを特徴とするフリーペーパー用折込宣伝広告袋。
【考案の詳細な説明】
【技術分野】
【０００１】
本考案は、フリーペーパーに折込んで動産物や不動産物の宣伝に使用する肉薄の広告袋に関するものである。
【背景技術】
【０００２】
自動車などの動産物や住宅などの不動産物を販売するための手法として折込み広告が日常的に使用されている。この折込み広告は通常、薄い紙製であり、その表面に動産物や不動産物の販売場所や展示日あるいは価格などが表示されている。
【考案の概要】
【考案が解決しようとする課題】
【０００３】
従来の紙製の折込み広告は日常的に使用されているものの、その宣伝効果は十分とは言えない。これは、その折込み広告が販売者側のメッセージを消費者側に単に伝達するだけの一方通行的なものであり、それを受け取った消費者側の殆どにとっては単なる紙屑に過ぎないからであり、また、消費者側に何らの利益も提供しないからである。従って、こうした折込み広告は、販売者側が消費者側に販売しようとする物に接触する機会さえ与えることができない。
【０００４】
本考案はこうした問題に鑑み創案されたもので、少なくとも、販売者側がより多くの消費者に、販売しようとする物に接触する機会を与えることができ、これにより販売効果を高めることのできる折込み宣伝広告手段を提供することを課題とする。
【課題を解決するための手段】
【０００５】
図１乃至図４を参照して説明する。請求項１に記載のフリーペーパー折込用宣伝広告袋１は、フリーペーパーＦに折込まれるものであり、当該フリーペーパーＦと同一またはそれより小判で、扁平に押し潰され、上端に開口部３を有すると共に、左端部４、右端部５および下端部６が襠（まち）を形成することなく密閉され、上端部に手持ち用の孔部７を有するポリエチレン製の袋本体２を備える。
【０００６】
そして、前記袋本体２の少なくともおもて面を、少なくとも動産物または不動産物の表示と、それを販売展示する場所および日時と、前記袋本体２に特定の品物Ｇを詰め放題できる旨とを記した印刷表示面８とする。
【０００７】
なお、フリーペーパーＦとは、通常無料で配布される定期発行の地域生活情報誌等であり、各種の情報（イベント、タウン、ショッピング、求人および求職、住宅等の不動産、飲食店、演劇、美容、レジャーおよび旅行、各種の教室など）を掲載した紙面媒体を含む。
【考案の効果】
【０００８】
本考案に係るフリーペーパー折込用宣伝広告袋１は、ポリエチレン製の袋本体２の少なくともおもて面を印刷表示面８とし、そこに少なくとも、動産物または不動産物の表示と、それを販売展示する場所および日時と、前記袋本体２に特定の品物Ｇを詰め放題できる旨を記載しているので、販売者はより多くの消費者に当該動産物または不動産物に接触する機会を与えることができる。
【０００９】
すなわち、この宣伝広告袋１は単なる動産物または不動産物の宣伝広告のみではなく、販売展示場所に持参することにより特定の品物Ｇを無料で受け取ることができるといった利益を消費者に与えるものである。従って、消費者に動産物または不動産物に接触する機会を確実に与えることができ、その結果、販売効果を大幅に高めることができる。
【００１０】
なお、この宣伝広告袋１は、フリーペーパーＦと同一またはそれより小判であると共に扁平に押し潰され、また、左端部４、右端部５および下端部６は襠を形成することなく密閉されているので、通常の薄い紙製の広告と同様にフリーペーパーＦに容易に折り込むことができる。
【００１１】
また、この宣伝広告袋１にはその上端に開口部３が形成され、上端部に手持ち用の孔部７が設けられているので、その開口部３から特定の品物Ｇを詰め込んだ後、孔部７に指を差し込んで容易に持ち運ぶことができる。従って、この状態で動産物または不動産物を見て回ることができる。
【図面の簡単な説明】
【００１２】
【図１】本考案に係る宣伝広告袋の実施形態を示す正面斜視図である（品物を詰める前の状態を示す）。
【図２】図１のＸ−Ｘ線断面図である（一部省略）。
【図３】図１に示す宣伝広告袋の背面斜視図である（品物を詰めた後の状態を示す）。
【図４】図１に示す宣伝広告袋をフリーペーパーに折り込んだ状態を示す正面図である。
【考案を実施するための形態】
【００１３】
本考案に係るフリーペーパー折込用宣伝広告袋１の実施形態を、図１乃至図４に示す。これは、新聞の紙面のほぼ半分の大きさを持つフリーペーパーＦに折込まれ、そのフリーペーパーＦよりやや小さい大きさに形成した宣伝広告袋１である。
【００１４】
この宣伝広告袋１はポリエチレン製の袋本体２を備える。この袋本体２は、扁平に押し潰され、上端に手で押し拡げることによって開く開口部３を有すると共に、左端部４、右端部５および下端部６が襠を形成することなく密閉されている。なお、下端部６には縦幅が１ｃｍ程度の閉じ代部６ａを形成して強固に密閉している。また、上端部に手持ち用の長穴状の孔部７を有する。
【００１５】
そして、袋本体２のおもて面を印刷表示面８としている。この印刷表示面８には、販売対象が不動産物（住宅）であることを表示し、また、それを販売展示する場所と日時を記している。さらに、この印刷表示面８には、この宣伝広告袋１を販売展示する場所に持参すると、当該袋本体２に特定の品物（お菓子）Ｇを詰め放題できることが記されている。
【００１６】
本実施形態に係るフリーペーパー折込用宣伝広告袋１は、ポリエチレン製の袋本体２のおもて面を印刷表示面８とし、そこに不動産物の表示と、それを販売展示する場所（地図）および日時と、袋本体２に特定の品物Ｇを詰め放題できる旨を記載しているので、販売者はより多くの消費者に当該不動産物に接触する機会を与えることができる。すなわち、消費者は品物Ｇを得ることを目的に販売展示場所に足を運び、そこで実際に不動産物を見ることによって購買意欲がかき立てられる場合が多々ある。これにより、当該不動産物の販売効果が大幅に高められる。
【００１７】
また、この宣伝広告袋１は、フリーペーパーＦよりやや小判であると共に扁平に押し潰され、また、左端部４、右端部５および下端部６は襠を形成することなく密閉されている。従って、一般的な薄い紙製の広告と同様にフリーペーパーＦに容易に折り込むことができる。
【００１８】
また、この宣伝広告袋１にはその上端に開口部３が形成され、上端部に手持ち用の孔部７が設けられているので、その開口部３から特定の品物Ｇを詰め込んだ後、孔部７に指を差し込んで容易に持ち運ぶことができる。
【００１９】
なお、上記実施形態に係る宣伝広告袋１は、そのおもて面のみを印刷表示面８としているが、裏面も印刷表示面８とすることができる。また、この宣伝広告袋１は不動産物を対象としているが、自動車や家電製品あるいは携帯電話などの動産物を対象とすることもできる。
【００２０】
さらに、印刷表示面８が記す内容は上記のものに限定されず、例えば、販売価格なども記載することができる。またさらに、袋本体２に詰めることのできる品物Ｇはお菓子に限定されない。
【符号の説明】
【００２１】
１      宣伝広告袋
２      袋本体
３      開口部
４      左端部
５      右端部
６      下端部
６ａ    閉じ代部
７      孔部
８      印刷表示面
Ｆ      フリーペーパー
Ｇ      品物
【図１】
0003186541.tif 000003
【図２】
0003186541.tif 000004
【図３】
0003186541.tif 000005
【図４】
0003186541.tif 000006